(57)【要約】      （修正有）【課題】植栽に利用する場合には、3次元的に、自由度の高いガーデニング用品ともなる収納ユニットの提供。【解決手段】構成シート１０が係る巻き状態から引き出されることによって長さが可変である辺部である引出辺７５にファスナーが設けられ、また、前記構成シート１０が巻かれた状態から引き出される際に引き出される進行方向となる前側の辺に該当する前辺９に、係止部である前辺係止部３０として、フックを備え、また、回転支持具７の側面には、係るシート巻き取り収納用具１の位置を保持する支持材に係止可能な支持係止部である横連結部２０として、面ファスナーが設けられており、また、回転支持具７の上面には、縦連結部４として、嵌合部が設けられており、それぞれ、支持材と係止可能である構成としても良いし、他の、シート巻き取り収納用具１と連結される構成としても良い。【選択図】図１
2020044300.tif 000002
【特許請求の範囲】
【請求項１】
シート巻き取り収納用具（１）であって、可とう性を有する略シート状の素材から成る１以上の構成シート（１０）が、回転巻軸（５）を中心として回転して巻かれるようにして回転支持具（７）に設けられ、前記回転支持具（７）は、前記構成シート（１０）を、回転巻軸（５）を中心として巻き取り具で回転して巻き、巻き状態の前記構成シート（１０）の位置を保持する機能を有し、前記シート巻き取り収納用具（１）は、前記シート巻き取り収納用具（１）の位置を保持する支持材（１０２）に係止可能な支持係止部または把手を備え、前記構成シート（１０）にはファスナーあるいは、複数の係止部である側辺係止部（８）が、前記巻き取り具から引き出されることによって長さが可変である辺部である引出辺（７５）に沿って設けられ、引き出された際に、前記ファスナーまたは前記側辺係止部（８）によって、２以上の前記構成シート（１０）が互いに係止され、前記2以上の構成シート（１０）の一部または全部が対面するように設けられることによって、長さが可変な中空収納部（１１）を形成可能であることを特徴とするシート巻き取り収納用具（１）。
【請求項２】
前記構成シート（１０）が、前記側辺係止部（８）と合わせて、前記構成シート（１０）が巻かれた状態から引き出される際に引き出される進行方向となる前側の辺である前辺（９）  に、ファスナーあるいは、係止部である前辺係止部（３０）を備え、２以上の前記構成シート（１０）を互いに係止、または、支持材（１０２）と係止可能であることを特徴とする請求項１に記載のシート巻き取り収納用具（１）。
【請求項３】
前記前辺係止部（３０）がファスナーであることを特徴とする請求項１から請求項２のいずれかに記載のシート巻き取り収納用具（１）。
【請求項４】
前記シート巻き取り収納用具（１）が、前記回転巻軸（５）が略平行になる様に連結可能である、横連結部（２０）を備え、２つ以上の前記シート巻き取り収納用具（１）が、前記横連結部（２０）によって横に連結されることによって、前記2以上の構成シート（１０）が対面するように設けられることが可能であることを特徴とする請求項１から請求項３のいずれかに記載のシート巻き取り収納用具（１）。
【請求項５】
前記シート巻き取り収納用具（１）が、略同一の前記回転巻軸（５）上になる様に、縦に連結可能である、縦連結部（４）を備え、２つ以上の前記シート巻き取り収納用具（１）が、前記縦連結部（４）によって縦に連結されることによって、前記中空収納部（１１）のサイズを大きくすることが可能であることを特徴とする請求項１から請求項４のいずれかに記載のシート巻き取り収納用具（１）。
【請求項６】
前記シート巻き取り収納用具（１）が、前記構成シート（１０）が巻かれた部分を覆うケース部（６）を備え、前記ケース部（６）が、前記巻かれた構成シート（１０）が引き出される際に通過する隙間である、巻取り引出口（７７）を備えていることを特徴とする請求項１から請求項５のいずれかに記載のシート巻き取り収納用具（１）。
【請求項７】
前記ケース部（６）に、２以上の構成シート（１０）が巻いた状態で収容されていることを特徴とする請求項６に記載のシート巻き取り収納用具（１）。
【請求項８】
前記構成シート（１０）が一定以上引き出されないようなブレーキ、または、前記回転支持具（７）が、前記回転巻軸（５）にて回転するようにして巻かれた前記回転巻軸（５）が回転しないように、ブレーキをかけることが可能な、引出ブレーキ構造（７９）を備えたことを特徴とした請求項１から請求項７のいずれかに記載のシート巻き取り収納用具（１）。
【請求項９】
前記前辺係止部（３０）が、前記引出辺（７５）の内側に、前記引出辺（７５）に沿って設けられており、係る構成であることによって、前記構成シート（１０）が、平行に構成する際に、構成シート（１０）の一部を重複可能であることを特徴とする請求項１から請求項８のいずれかに記載のシート巻き取り収納用具（１）。
【請求項１０】
前記構成シート（１０）が、重畳的に連続して係止され、前記重畳的に設けられた部分重複部（１５）が、係る部分重複部（１５）の表側から裏側に貫通して開口している開口部を備えていることを特徴とする請求項１から請求項９のいずれかに記載のシート巻き取り収納用具（１）。
【請求項１１】
前記表側から裏側に貫通して開口している部分重複部（１５）の一部または全部が係止されていることによって、貫通部の幅が狭くなっているか、または、閉じられていることを特徴とする請求項１０に記載のシート巻き取り収納用具（１）。
【請求項１２】
前記構成シート（１０）の前記表側から裏側に貫通して開口している部分重複部（１５）の２辺の引出辺（７５）の内、1辺の引出辺（７５）側が開放可能に設けられていることを特徴とする請求項10に記載のシート巻き取り収納用具（１）。
【請求項１３】
前記構成シート（１０）が、マグネットシートまたは自己吸着シートであることを特徴とする請求項１から請求項１２のいずれかに記載のシート巻き取り収納用具（１）。
【請求項１４】
前記ファスナーが、スライド可能なボックス（４０）である、スライドボックス（４０）を備えたことを特徴とした、請求項１から請求項１３のいずれかに記載のシート巻き取り収納用具（１）。
【請求項１５】
前記構成シート（１０）が、無機または有機の、エレクトロルミネセンスのシートに代表される電子表示シートであることを特徴とした請求項１から請求項１４のいずれかに記載のシート巻き取り収納用具（１）。
【請求項１６】
請求項１から請求項１５のいずれかのシート巻き取り収納用具（１）によって構成される巻き収納部ユニット（０）であって、前記シート巻き取り収納用具（１）の構成シート（１０）の両辺の引出辺（７５）に設けられた、ファスナーあるいは、複数の係止部である側辺係止部（８）において、対面した前記２以上の構成シート（１０）が係止され、前記構成シート（１０）の前辺（９）または回転巻軸（５）側を、底として前辺係止部（３０）または横連結部（２０）で係止され、前記底とならない、前記前辺（９）、または回転巻軸（５）側を開口部として開口または開口可能な上面開口部（１３）である収納口（１２）とし、収納部である中空収納部（１１）の長さが可変であることを特徴とした巻き収納部ユニット（０）。
【請求項１７】
請求項１から請求項１５のいずれかのシート巻き取り収納用具（１）によって構成される巻き収納部ユニット（０）であって、前記１つのシート巻き取り収納用具（１）の構成シート（１０）の巻き取り状態から引き出された構成シート（１０）が、折り曲げられることによって、構成シート（１０）が対面され、前記構成シート（１０）の両辺の前記引出辺（７５）に設けられた、前記ファスナーあるいは、複数の係止部である側辺係止部（８）において、対面した前記構成シート（１０）が係止され、、前記前辺（９）及び回転巻軸（５）側を開口部として開口または開口可能な上面開口部（１３）である収納口（１２）とし、収納部である中空収納部（１１）の長さが可変であることを特徴とした巻き収納部ユニット（０）。
【請求項１８】
前記巻き収納部ユニット（０）が、前記巻き収納部ユニット（０）の前記上面開口部（１３）である収納口（１２）側に、把手を備え、長さの変わる手さげ袋、あるいは壁掛収納具であることを特徴とした、請求項１６から請求項１７のいずれかに記載の巻き収納部ユニット（０）。
【請求項１９】
請求項１から請求項１５のいずれかのシート巻き取り収納用具（１）によって構成される巻き収納部ユニット（０）であって、前記シート巻き取り収納用具（１）が、支持材（１０２）に係止され、前記シート巻き取り収納用具（１）の構成シート（１０）の巻き取り状態から引き出された構成シート（１０）が、支持材（１０２）間にて対向するようにして橋架されて中空収納部（１１）を備え、該中空収納部（１１）の底に、支持底部（２１）または  シート本体底部（１０１）を備えたことを特徴とする巻き収納部ユニット（０）。
【請求項２０】
前記シート巻き取り収納用具（１）が、支持材（１０２）に係止され、複数の構成シート（１０）が側辺係止部（８）で連結されたことを特徴とする請求項１９に記載の巻き収納部ユニット（０）。
【請求項２１】
前記支持材(１０２)が中空で且つ、スリットを備えたスリットカートリッジ(８０)であって、係るスリットカートリッジ(８０)は、中に複数の巻かれた構成シート(１０)を収容可能で、且つアダプター（８１）を収容して、構成シート(１０)の高さを変更可能で、係るスリットから巻き状態から引き出した構成シート(１０)を引き出されることを特徴とする、請求項１９または請求項２０に記載の巻き収納部ユニット（０）。
【請求項２２】
前記支持材（１０２）に係止され、複数の構成シート（１０）が側辺係止部（８）で連結されたシート巻き取り収納用具（１）が、係る構成によって、収納容器を構成することを特徴とする請求項１６から請求項２０のいずれかに記載の巻き収納部ユニット（０）。
【請求項２３】
３以上の前記構成シート（１０）が側辺係止部（８）にて係止されることによって構成されることを特徴とする請求項１６から請求項２２のいずれかに記載の巻き収納部ユニット（０）。
【請求項２４】
前記巻き収納部ユニット（０）の側辺係止部（８）がファスナーである構成において、前記ファスナーの位置のずれを防止する、スライダー（３）ずれ防止具を備えたことを特徴とした、請求項１６から請求項２３のいずれかに記載の巻き収納部ユニット（０）。
【請求項２５】
前記支持材（１０２）に係止され、複数の構成シート（１０）が側辺係止部（８）で連結されたシート巻き取り収納用具（１）の前記側辺係止部（８）が、引出辺（７５）の内側に沿って設けられており、前記側辺係止部（８）にて複数のシート巻き取り収納用具（１）の構成シート（１０）が、一部を重なり合う部分重複部（１５）を備え、前記部分重複部（１５）は、前記側辺係止部（８）によって一部に開口可能に互いに係止されることにより、収納ユニットを形成可能であることを特徴とする請求項１から請求項２４のいずれかに記載のシート巻き取り収納用具（１）。
【請求項２６】
１つの前記構成シート（１０）が、２つの前記シート巻き取り収納用具（１）を設けたことを特徴とする請求項１から請求項２５のいずれかに記載の巻き収納部ユニット（０）。
【請求項２７】
前記構成シート（１０）の幅が変化しているか、または、前記引出辺（７５）が曲線状であるか、または回転巻軸（５）に対して引出辺（７５）が垂直に設けられていない構成であることによって、引出辺（７５）がずれながら前記構成シート（１０）が回転巻軸（５）を軸として巻かれることを特徴とする請求項１から請求項２６のいずれかに記載のシート巻き取り収納用具（１）。
【発明の詳細な説明】
【技術分野】
【０００１】
本発明は、主として植物の育成及び緑化、並びに小物の整理に資する収納具に関し、詳しくは配置領域と配置位置を自由に調整することによって、沢山の植物や雑貨等の収納と、これらの配置を自由にレイアウトすることで斬新な装飾が可能であり、且つ、美的緑化の促進や作業効率向上に資する装飾自在な収納器具に関する。
【背景技術】
【０００２】
従来から雑貨等の収納には多種多様な収納具が提案されている。係る収納具は機能的に収納するものから、収納効率よりもお洒落や装飾を目的とした収納具も存在する。しかしながら、収納スペースの領域や配置場所の形状にその場で合わせ、更には収納位置をアレンジできる収納具は皆無といえる。
【０００３】
また、植物を店頭等の装飾に用いたり家庭用のガーデニングとして楽しむ方が増えてきており、係る装飾には花壇、プランター、ハンギング等を利用した方法が用いられている。しかしながら、ワイヤー等で吊るすタイプのハンギング等では重量に制限があり、植物の数や種類が限られてしまうという問題や、鉢やプランター等による装飾ではアレンジやバリエーションの範囲に限界があるという問題がある。
【０００４】
更に、花を用いて広範に装飾する場合では多数の鉢等への水やりに負担も大きくなるという問題もある。そこで、小規模な装飾範囲から大規模な装飾範囲まで自在に対応でき、更にあらゆるレイアウトや創作者の自由なアレンジに対応できる装飾用具が望まれているといえる。特にショーウィンドウなどの装飾などでは個性溢れるお洒落な植物を用いた装飾を容易に施す技術が求められているといえる。
【０００５】
そこで、従来からも種々の技術が提案されている。例えば、特許文献１には、発明の名称を「花卉ハンギングバッグおよび花卉ハンギングセット」とする技術が開示され、公知技術となっている（特許文献１参照）。具体的には「有底袋体の正面部複数箇所に十文字状切り込み等による窓部を形成してなり、これにより軒先に吊るしたり、あるいはトレリス等に懸け吊るして用いる場合に安定性がよく、しかも花卉類が成長するにつれて、露出していた袋体自体が次第に隠れるようになる結果、人工的感覚があまりなく自然性を維持することができ、また取り扱い性も格段に向上する」というものである。しかしながら、特許文献１に記載の発明は、挿入口が固定されているため装飾が自由自在とはいえず、前記問題の解決には至っていない。
【０００６】
また、特許文献２には、発明の名称を「ユニット式ガーデニングラック」とする技術が開示され、公知技術となっている（特許文献２参照）。具体的には「自立接地用のベースを有しかつ長さが異なる複数種の帯板状ポールと、これら複数種の帯板状ポールの長さにそれぞれ等しい縦寸法を有しかつ横幅寸法は全て等しい大きさに形成された複数種のハンギング用格子パネルとを、帯板状ポールの両側辺部に形成した差込み溝及び係合部とハンギング用格子バネルの横幅方向の両側辺から突出させた突片との差込み係合手段を介して鉛直面内に形態の異なる複数種類の自立式ガーデニングラックを組立可能に構成している」というものである。しかしながら、特許文献２に記載の発明は、沢山の植物を自由に装飾できるが、大きな部材を組立て固定しなくてはならず、スペース確保の問題や装飾した個体を集合させているにすぎず、発明品本体による自由自在な装飾とは言えないため、前記問題の解決には至っていない。
【０００７】
なお、本発明者は、発明の名称を「筒状緑化ユニット」とする技術で特許を受けている。（特許文献３参照）具体的には「少なくとも１以上のケース部材からなり、前記ケース部材は、略長方形であり、幅方向に曲げ可能であり、長手方向に沿った両辺にファスナーのエレメントを持ち、前記エレメントをファスナーのスライダで結合することで前記ケース部材を中空の中空体とし、前記中空体の内部には植物培養基材が投入され、前記スライダは１つのファスナー構造に対して２つ以上設置されており、前記スライダの位置を調整することで、前記ファスナーの一部を開口部とし、前記開口部から前記植物培養基材に対して植物を植付け可能」というものである。しかしながら、複数のファスナースライダーを使用することから、製造上のコストと手間がかかるという問題が残されているといえ、よりシンプルな部材、構造を開発するといった課題も追及すべきといえる。
【先行技術文献】
【特許文献】
【０００８】
【特許文献１】特開２００１−１８６８１６号
【特許文献２】特開２０００−０４１８１４号
【特許文献３】特許第５４９５１９８号
【発明の概要】
【発明が解決しようとする課題】
【０００９】
あらゆる収納可能なスペースの有効活用と、デザインアレンジによる、雑貨等の小物や植物を用いて美しい装飾が可能であり、植栽に利用する場合には、3次元的に、自由度の高いガーデニング用品ともなる収納ユニットを提供する。
【課題を解決するための手段】
【００１０】
本発明は、シート巻き取り収納用具が、可とう性を有する略シート状の素材から成る１以上の構成シート（１０）が、回転巻軸を中心として回転して巻かれるようにして回転支持具に設けられ、前記回転支持具は、前記構成シート（１０）を、回転巻軸を中心として回転して巻き、巻き状態の前記構成シート（１０）の位置を保持する機能を有し、前記シート巻き取り収納用具は、前記シート巻き取り収納用具の位置を保持する支持材に、係止可能な支持係止部または把手を備え、前記構成シート（１０）にはファスナーあるいは、複数の係止部である側辺係止部が、前記巻き取り具から引き出されることによって長さが可変である辺部(１８)である引出辺(７５）に沿って設けられ、引き出された際に、前記ファスナーまたは前記側辺係止部によって、２以上の前記構成シート（１０）が互いに係止され、前記2以上の構成シートの一部または全部が対面するように設けられることによって、長さが可変な中空収納部（１１）を形成可能である手段を採用する。
【００１１】
また、本発明は、前記可とう性を有する略シート状の素材から成る１以上の構成シート（１０）を、並んだ支持材（１０２）に巻いて設けることによって、前記橋架されて対面した前記構成シート（１０）に挟まれた空間である中空収納部（１１）を形成する手段を採用することもできる。
【００１２】
また、本発明は、前記構成シート（１０）が、前記側辺係止部と合わせて、前記構成シートが巻かれた状態から引き出される際に引き出される進行方向となる前側の辺である前辺  に、ファスナーあるいは、係止部である前辺係止部を備え、２以上の前記構成シートを互いに係止、または、支持材と係止可能である手段を採用することもできる。
【００１３】
また、本発明は、前記前辺係止部がファスナーである手段を採用することもできる。
【００１４】
また、本発明は、前記シート巻き取り収納用具が、前記回転巻軸が略平行になる様に連結可能である、横連結部を備え、２つ以上の前記シート巻き取り収納用具が、前記横連結部によって横に連結されることによって、前記2以上の構成シートが対面するように設けられることが可能である手段を採用することもできる。
【００１５】
また、本発明は、前記シート巻き取り収納用具が、略同一の前記回転巻軸上になる様に、縦に連結可能である、縦連結部を備え、２つ以上の前記シート巻き取り収納用具が、前記縦連結部によって縦に連結されることによって、前記中空収納部のサイズを大きくすることが可能である手段を採用することもできる。
【００１６】
また、本発明は、前記シート巻き取り収納用具が、前記構成シート（１０）が巻かれた部分を覆うケース部を備え、前記ケース部が、前記巻かれた構成シートが引き出される際に通過する隙間である、巻取り引出口を備えている手段を採用することもできる。
【００１７】
また、本発明は、前記構成シート（１０）が一定以上引き出されないようなブレーキ、または、前記回転支持具が、前記回転巻軸にて回転するようにして巻かれた前記回転巻軸が回転しないように、ブレーキをかけることが可能な、引出ブレーキ構造を備えた手段を採用することもできる。
【００１８】
また、本発明は、前記前辺係止部が、前記引出辺の内側に、前記引出辺に沿って設けられており、係る構成であることによって、前記構成シート（１０）が、平行に構成する際に、構成シート（１０）の一部を重複可能である手段を採用することもできる。
【００１９】
また、本発明は、前記構成シートが、重畳的に連続して係止され、前記重畳的に設けられた部分重複部が、係る部分重複部の表側から裏側に貫通して開口している開口部を備えている手段を採用することもできる。
【００２０】
また、本発明は、前記表側から裏側に貫通して開口している部分重複部の一部または全部が係止されていることによって、貫通部の幅が狭くなっているか、または、閉じられている手段を採用することもできる。
【００２１】
また、本発明は、前記構成シート１０の前記表側から裏側に貫通して開口している部分重複部（１５）の２辺の引出辺（７５）の内、1辺の引出辺（７５）側が開放可能に設けられている手段を採用することもできる。
【００２２】
また、本発明は、前記構成シート１０が、マグネットシートまたは自己吸着シートである手段を採用することもできる。
【００２３】
また、本発明は、前記ファスナーが、スライド可能なボックスである、スライドボックスを備えた手段を採用することもできる。
【００２４】
また、本発明は、前記構成シートが、無機または有機の、エレクトロルミネセンスのシートに代表される電子表示シートである手段を採用することもできる。
【００２５】
また、本発明は、前記ケース部に、２以上の構成シートが巻いた状態で収容されている手段を採用することもできる。
【００２６】
また、本発明は、シート巻き取り収納用具によって構成される巻き収納部ユニットであって、前記シート巻き取り収納用具の構成シート（１０）の両辺の引出辺に設けられた、ファスナーあるいは、複数の係止部である側辺係止部において、対面した前記２以上の構成シート（１０）が係止され、前記構成シート（１０）の前辺または回転巻軸側を、底として前辺係止部または横連結部で係止され、前記底とならない、前記前辺、または回転巻軸側を開口部として開口または開口可能な上面開口部である収納口とし、収納部である中空収納部の長さが可変である巻き収納部ユニットとする手段を採用することもできる。
【００２７】
また、本発明は、シート巻き取り収納用具によって構成される巻き収納部ユニットであって、前記１つのシート巻き取り収納用具の構成シートの巻き取り状態から引き出された構成シート（１０）が、折り曲げられることによって、構成シート（１０）が対面され、前記構成シート（１０）の両辺の前記引出辺に設けられた、前記ファスナーあるいは、複数の係止部である側辺係止部において、対面した前記構成シート（１０）が係止され、、前記前辺及び回転巻軸側を開口部として開口または開口可能な上面開口部である収納口とし、収納部である中空収納部の長さが可変である巻き収納部ユニットとする手段を採用することもできる。
【００２８】
また、本発明は、前記巻き収納部ユニットが、前記巻き収納部ユニットの前記上面開口部である収納口側に、把手を備え、長さの変わる手さげ袋、あるいは壁掛収納具である手段を採用することもできる。
【００２９】
また、本発明は、シート巻き取り収納用具によって構成される巻き収納部ユニットであって、前記シート巻き取り収納用具が、支持材に係止され、前記シート巻き取り収納用具の構成シートの巻き取り状態から引き出された構成シート（１０）が、支持材間にて対向するようにして橋架されて中空収納部１１を備え、該中空収納部１１の底に、支持底部またはシート本体底部を備えた巻き収納部ユニットとする手段を採用することもできる。
【００３０】
また、本発明は、前記シート巻き取り収納用具が、支持材に係止され、複数の構成シート（１０）が側辺係止部で連結された手段を採用することもできる。
【００３１】
また、本発明は、前記支持材が中空で且つ、スリットを備えたスリットカートリッジであって、係るスリットカートリッジは、中に複数の巻かれた構成シートを収容可能で、且つアダプターを収容して、構成シートの高さを変更可能で、係るスリットから巻き状態から引き出した構成シートを引き出される手段を採用することもできる。
【００３２】
また、本発明は、前記支持材に係止され、複数の構成シート（１０）が側辺係止部で連結されたシート巻き取り収納用具が、係る構成によって、収納容器を構成する手段を採用することもできる。
【００３３】
また、本発明は、３以上の前記構成シート（１０）が側辺係止部にて係止されることによって構成される手段を採用することもできる。
【００３４】
また、本発明は、前記巻き収納部ユニットの側辺係止部がファスナーである構成において、前記ファスナーの位置のずれを防止する、スライダーずれ防止具を備えた手段を採用することもできる。
【００３５】
また、本発明は、前記支持材に係止され、複数の構成シート（１０）が側辺係止部で連結されたシート巻き取り収納用具の前記側辺係止部が、引出辺の内側に沿って設けられており、前記側辺係止部にて複数のシート巻き取り収納用具の構成シートが、一部を重なり合う部分重複部を備え、前記部分重複部は、前記側辺係止部によって一部に開口可能に互いに係止されることにより、収納ユニットを形成可能であるシート巻き取り収納用具とする手段を採用することもできる。
また、本発明は、１つの前記構成シート（１０）が、２つの前記シート巻き取り収納用具（１）を設けた巻き収納部ユニット（０）とする手段を採用することもできる。
また、本発明は、前記構成シート（１０）の幅が変化しているか、または、前記引出辺（７５）が曲線状であるか、または回転巻軸（５）に対して引出辺（７５）が垂直に設けられていない構成であることによって、引出辺（７５）がずれながら前記構成シート（１０）が回転巻軸（５）を軸として巻かれる手段を採用することもできる。
【発明の効果】
【００３６】
本発明に係る巻き収納部ユニットによれば、屋内、屋外を問わず、自由な３次元的な設置領域において、設置領域に合わせて自由なサイズで収納領域を確保でき、スペースを確保可能であるという優れた効果を発揮する。
【００３７】
本発明に係る巻き収納部ユニットによれば、屋内、屋外を問わず、自由な設置領域において、設置領域に合わせて自由に多種多様な植物を同時に栽培でき、潅水容易で一時的な移動や設置も可能であることから、育苗や園芸における作業負担の軽減や作業の効率化を図れるという優れた効果を発揮する。
【００３８】
本発明に係る巻き収納部ユニットによれば、沢山の開口部を構成することができ、柱や壁の形状に対応して装着できるので、例えば工場内において作業者が取りやすい位置に存在する壁や柱を利用して工具を収納するための収納ユニットとして利用するなど、場所や環境に対する制限が極めて少なく、あらゆる場所において自由な装飾が可能となるという優れた効果を発揮するものである。
【００３９】
本発明に係る巻き収納部ユニットによれば、沢山のポケット状の植栽部の底部が開口しているため、上部から一度の水やりにより全体に水を供給することが可能となるという優れた効果を発揮する。
【００４０】
本発明に係る巻き収納部ユニットによれば、花の交換の際、取り除く必要のない植物を移動することなく、別のポケットに違う種類の植物を装飾することも可能であり、また種や球根から育てたり、宿根草や多年草など季節が巡ってまた咲くものをそのままにしながら別のポケットの一年草は交換できるという優れた効果を発揮する。
【００４１】
本発明に係る巻き収納部ユニットによれば、構成部材が極めて少なく、またシンプルな構成で製作が容易でコストがかからないといった優れた効果を発揮する。
【００４２】
本発明に係る巻き収納部ユニットによれば、地面に接触させずに空中に吊るす構成として利用することにより、汚染された土壌や水害の影響を受けることなく、単位面積当たりの収穫量を向上させることができるという優れた効果を発揮する。
【図面の簡単な説明】
【００４３】
【図１】本発明に係るシート巻き取り収納用具の基本構成説明図である。
【図２】本発明に係る巻き収納部ユニットが、１つのシート巻き取り収納用具による構成の説明図である。
【図３】本発明に係る巻き収納部ユニットが、１つのシート巻き取り収納用具による構成の説明図である。
【図４】本発明に係る巻き収納部ユニットが、２つのシート巻き取り収納用具による構成の説明図である。
【図５】本発明に係る巻き収納部ユニットが、２以上のシート巻き取り収納用具による構成の説明図である。
【図６】本発明に係るシート巻き取り収納用具が、重畳的に設けられた構成の説明図である。
【図７】本発明に係る巻き収納部ユニットが、支持材に設けられる構成の説明図である。
【図８】本発明に係る支持材が、スリットカートリッジである構成の説明図である。
【図９】本発明に係る巻き収納部ユニットが支持材に設けられた実施例の説明図である。
【図１０】本発明に係る巻き収納部ユニットが支持材に設けられた実施例の説明図である。
【発明を実施するための形態】
【００４４】
本発明に係るシート巻き取り収納用具１は、 シート巻き取り構造によって、サイズが自由に調整可能な収納袋や収納部である巻き収納部ユニット０と、係る巻き収納部ユニット０を構成する巻き取り式の収納用具であり、可とう性を有する略シート状の素材から成る１以上の構成シート１０が、回転巻軸５を中心として巻き取り具で回転して巻かれるようにして回転支持具７に設けられ、前記回転支持具７は、前記構成シート１０を、回転巻軸５を中心として回転して巻き、巻き状態の前記構成シート１０の位置を保持する機能を有し、前記シート巻き取り収納用具１は、前記シート巻き取り収納用具１の位置を保持する支持材１０２に、係止可能な支持係止部を備え、前記構成シート１０にはファスナーあるいは、複数の係止部である側辺係止部８が、前記巻き取り具から引き出されることによって長さが可変である辺部である引出辺７５に沿って設けられ、引き出された際に、前記ファスナーまたは前記側辺係止部８によって、２以上の前記構成シート１０が互いに係止されることによって、長さが可変なシート収納用具とすることによって、ＴＰＯに合わせて、自由に、そのサイズが変幻自在な収納容器が構成可能で、収納物、用途、スペース等によって、特に自由にそのサイズや、部分部分による材質等を変えられるバッグや袋やその他収納容器を構成可能であるという有用性を発揮することができるものである。
【００４５】
以下、図面に基づいて本発明に係るシート巻き取り収納用具１及び巻き収納部ユニット０について説明する。但し、図面に示した形状や配置構成等についてはあくまでも例示であり、本願発明の特徴的な効果が発揮される範囲において変更することを可能とする。
また、以下の各図のそれぞれの構成、説明は、代表的にその図面で係る構成、説明をしたものに過ぎず、その他の図面の構成に対しても、それぞれ、互いにそれぞれの構成及び説明は応用可能であるものである。
【００４６】
図１は、シート巻き取り収納用具１の基本構成であり、係るシート巻き取り収納用具１は、巻き収納部ユニット０を構成する為の用具であり、巻き取り収納部ユニット０は、シート巻き取り収納用具１によって、収納部を構成する物である。
図１（ａ）は、構成シート１０が、回転支持具７にて回転可能に巻かれて設けられており、係る構成シート１０が係る巻き状態から引き出されることによって長さが可変である辺部である引出辺７５にファスナーが設けられ、また、前記構成シート１０が巻かれた状態から引き出される際に引き出される進行方向となる前側の辺に該当する前辺９に、係止部である前辺係止部３０として、フックを備え、また、回転支持具７の側面には、係るシート巻き取り収納用具１の位置を保持する支持材１０２に係止可能な支持係止部である横連結部２０として、面ファスナーが設けられており、また、回転支持具７の上面には、縦連結部４として、嵌合部が設けられており、それぞれ、支持材１０２と係止可能である構成としても良いし、他の、シート巻き取り収納用具１と連結される構成としても良い。
【００４７】
本図においては、２つの引出辺７５の内、下側の引出辺７５に設けられたファスナーのエレメント２には、スライダー３が１つ設けられており、上側の引出辺７５のエレメント２にはスライダー３は設けられていない。本構成の例においては、係る上側のエレメント２は、他の同等の構成のシート巻き取り収納用具１の下側のエレメント２と対になって係止される構成であるが、係るスライダー３の数は、上下それぞれのエレメント2に、必要に応じて１以上の構成としても良い。
尚、引出辺７５に設けられた係るファスナーは、側辺係止部８でもあり、構成シート１０の他の部分の側辺係止部８やファスナーと係止されるものである。
また、係る引出辺７５にファスナー等の側辺係止部８が設けられていることによって、係る引出辺が平行で直線である構成シート１０が、真直ぐ巻き取られた際に、引出辺７５の部分の巻が太くなりかさ張ることとなるので、係る構成シート１０の幅を徐変等、変化させるか、または、係る引出辺を波線や折れ線の曲線状にするか、斜めに引出辺７５がずれながら巻かれる様に回転巻軸５に対して、引出辺が垂直に設けられていない構成とすることで、係る引出辺部が巻いた時に完全に重ならず、その部分だけ厚くなり難い構成となり、有用である。
また、前記前辺係止部３０は、用途に応じて、構成シート１０の他の部分や、支持材１０２、支持係止部、ケース部６等と係止可能とする構成のものであり、場合によっては、手で係るシート巻き取り収納用具１の位置を保持するための把手としても良い。
【００４８】
係る側辺係止部８または前辺係止部３０は、係るファスナーやフックでも良いし、その他、上記部分と係止可能な構成であればよく、その他、ホック、ボタン、面ファスナー、自己吸着シート、紐、係止用穴、フック、把手、磁石、ベルト、粘着でも良く、その他、本発明と同一の作用効果を発揮できる範囲内で限定しない。
また、支持係止部である横連結部２０または縦連結部４は、支持材１０２や他のシート巻き取り収納用具１と係止される構成であればよく、上記面ファスナあるいは嵌合部の他、ホック、ボタン、面ファスナー、自己吸着シート、紐、係止用穴、フック、把手、磁石、ベルト、粘着、接着、ボルトでも良く、その他、本発明と同一の作用効果を発揮できる範囲内で限定しない。
【００４９】
図１（ｂ）は、図１（ａ）の構成における構成シート１０の巻いた部分が、ケース部６に包覆されて設けられた構成の断面図である。
係る構成においては、構成シート１０が、回転支持具７である棒状体を芯棒として、係る芯棒を中心軸に回転する回転巻軸５として回転可能に巻いて設けられており、係るケース部６に設けられたスリットを係るケース部６からの引き出し口である巻取り引出口７７として、構成シート１０が引き出された構成であり、係る巻き取り引出口には、係る構成シート１０の引き出し、あるいは巻き取りを制御する   引出ブレーキ構造７９が設けられた構成となっている。
尚、係る   引出ブレーキ構造７９は、本図においては、係る巻取り引出口７７に設けられて、係る構成シート１０を挟み込むことによっての摩擦でブレーキをかける構成となっているが、その他、  回転巻軸５を軸とした回転を制御するように、回転支持具７にてブレーキをかけても良いし、係るブレーキ構造は、その他、本発明と同一の作用効果を発揮できる範囲内で限定しない。
【００５０】
また、係る巻取り引出口７７に設けられた   引出ブレーキ構造７９は、その他、係る構成シート１０に付着した泥等の汚れを取り除くようなヘラやブラシ等の汚れを落とす構成である、こそぎ取り部材７７とする構成としても良い。
また、係る構成シート１０の巻取りは、手動でも良いし、自動で巻き取る構成としても良い。
また、係るケース部６が、係る構成シート１０の巻いた位置を回転可能に巻かれて設けられて保持する回転支持具７を兼ねた構成としても良い。
【００５１】
尚、係る支持材１０２に設けられた巻き取り具７８からの構成シート１０の引き出し口である巻取り引出口７７に、こそぎ取り部材７９が設けられている場合、係るこそぎ取り部材７９は、構成シート１０を巻き取り具７８に巻き取る際に、構成シート１０に付着した土等の汚れをこそぎ取る機能を有し、特に、植栽植物である収納物Ｓ２と培養基材６０として、土などを中空収納部１１に設けた際に、構成シート１０に付着した土を除去可能である。係るこそぎ取り部材７９は、構成シート１０の両面側に設けることが望ましいが、常に構成シート１０にて中空収納部１１を形成する際の内側の方向が決まっている場合は、係る内側にあたる方向だけにこそぎ取り部材７９を設けても良い。
【００５２】
また、係るこそぎ取り部材７９部材の形状は、ヘラ状でも、箒状でも良いし、材質はシリコンでも樹脂でも木でも金属でもゴムでも良く、本発明と同一の作用効果を発揮できる範囲内で限定しない。
【００５３】
図２以下においては、係る、図１に示されるシート巻き取り収納用具１の構成、または係る構成を応用した巻き収納部ユニット０等の応用の構成の説明図である。 
図２は、シート巻き取り収納用具１を用いて、サイズが変更可能な袋体あるいはバッグ等である巻き収納部ユニット０の構成であり、図２（ａ）及び図２（ｂ）に示されるように、係る構成において、自由に、連続的にサイズを変更可能な袋体あるいはバッグである巻き収納部ユニット０を構成することが可能であり、係る構成の説明の側面図が、図２（ｃ）及び図２（ｄ）である。
【００５４】
図２（ａ）及び図２（ｂ）の構成の巻き収納部ユニット０は、図２（ｃ）に示されるシート巻き取り収納用具１からなり、図２（ｃ）に示されるシート巻き取り収納用具１は、ケース部６内に巻かれた構成シート１０が、巻取り引出口７７から引き出され、係る構成シート１０の両サイドの引出辺７５には、側辺係止部８として、ファスナ−のエレメント２が設けられ、それぞれのサイドのエレメント２には、それぞれ２つずつのスライダー３が設けられ、それぞれのエレメント２の前辺９側の末端には、蝶棒１４が設けられている構成である。
図２（ａ）及び図２（ｂ）の構成の巻き収納部ユニット０は、図２（ｃ）におけるケース部６より引き出された構成シート１０をケース部６方向に折り曲げて、係る蝶棒１４を図２（ａ）に示されるそれぞれのエレメント２に設けられた下側のスライダー３に挿入し、係るスライダー３を前記構成シート１０を折り曲げた略曲げ部まで下げて、係るファスナーを閉じ、上側のスライダー３を、係る蝶棒１４部にて、係る蝶棒１４部からファスナーが勝手に開いてしまわないように、ファスナーのボックス４０の代わりに移動させて保持させることによって、係る構成シート１０の前辺９部を収納物（Ｓ）を収納する為の中空収納部１１の開口部１９である上面開口部１３とした袋体あるいはバッグである巻き収納部ユニット０を形成する構成となっており、係る巻き収納部ユニット０の側面図が、図２（ｄ）である。
【００５５】
係る構成によって、折り曲げて重複した内側の領域が、収納物が収納される、中空収納部１１となる構成である。
また、図２（ａ）の巻き収納部ユニット０は、図２（ｂ）に示される様に、引き出す構成シート１０の長さと、蝶棒１４をスライダー３に挿入する位置を変更することによって、様々に自由にサイズを変更することが可能な構成であり、有用である。
また、係る構成において、スライダー３は、留めの際に自由に動かないように、ストッパーである、スライダーずれ防止具を設けた構成であることが望ましい。
【００５６】
また、 スライダーずれ防止具は、エレメント２やボックス４０に関わり合ってストッパーとなる構成でも良いし、棒や可撓性シートや網と係わることによって抑えても良く、あるいは複数のスライダー３を互いに係止する構成でも良いし、容器の内側からでも、外側ストッパーを設ける構成でも良く、その他、本発明と同一の作用効果を発揮できる範囲内でその素材を限定しない。
【００５７】
また、上側のスライダー３は、蝶棒１４の位置を保持して係るファスナーが勝手に開くことを防止する役割のスライダー３であり、係るスライダー３は、係る蝶棒１４が挿入される側は蝶棒１４を挿入した際に突き当たる突き当て部を備えたボックス４０の構成のスライド可能なボックス４０であるスライドボックス４０としても良い。
係る蝶棒１４と係る蝶棒１４が挿入されてその位置を保持されるスライダー３との間で、互いの位置を保持する係止構造を備えた構成としても良く、例えば、スライダー３側と蝶棒１４側との嵌合部に凹凸の嵌合形状を設けて、抜け防止になるような構成としても良く、係る蝶棒１４と、スライダー３との抜け防止構造は、その他、棒状の物で互いの穴を貫いて動きを止める構成等、その構造は、本発明と同一の作用効果を発揮できる範囲内で限定しない。
【００５８】
また、ケース部６に設けられた横連結部２０である支持係止部２０で壁等に係る巻き収納部ユニット０を吊設して係止する壁掛収納具としても良いし、係る支持係止部２０を把手として、携行して手さげ袋としても良い。
また、本構成においては、係る前辺９は、上側のファスナースライダー３にて係止されることによって上面開口部１３を構成しているが、係る前辺９は、ケース部６に設けられた、係る前辺９とケース部６９とを係止する、前本係止部３１に係る前辺９を係止する構成としても良い。
【００５９】
また、係る係止構造は、ファスナーでも良いし、面ファスナーでも良いし、紐でも、磁石でも、ホックでも、フックでも、ビスでもリベットでもよく、板で挟んでボルトで留めても良い。
尚、ファスナーで係止する係止構造の場合は、１つの支持材１０２に２以上の巻き取り具７８を設け、同じ方向に引き出す構成とし、引き出し方向の端部から、引き出されてくる辺部に設けられたファスナーで係る２つの構成シート１０をファスナーで連結し、巻き取り具７８から引き出された根本部までファスナーで閉じることによって、収納部を構成することが可能となる。
また、係る巻き取り具７８は、図面には示していないが、自動で巻き取る構成としても良いし、ハンドルを設けてハンドルを手で回して巻き取る手動式にしても良く、係る自動で巻き取る構成は、ぜんまいで巻き取る構成としても良いし、電動で巻き取る構成としてもよく、係る巻き取りの構成は、その他、本発明の範囲の範囲内で限定しない。
【００６０】
尚、係る側辺係止部８がファスナーである構成においては、本図の様に、係るファスナーを構成するエレメント２の末端に設けられた蝶棒１４またはボックス４０が前辺係止部３０を兼ねる構成としても良い。
【００６１】
図３は、係る前辺９に設けられた前辺係止部３０と前本係止部３１が係止された構成の説明図であり、基本的には、図２の構成の応用である。
図３（ａ）が、係る構成の巻き収納部ユニット０の側面図であり、図３（ｂ）が部分断面図であり、図３（ｃ）が、係る収納容器０を構成する、シート巻き取り収納用具１の構成を示している。
図２（ａ）において、図２同様に、ケース部６の巻取り引出口７７から引き出された構成シート１０の引出辺７５には、側辺係止部８として、面ファスナーが設けられており、係る面ファスナーには、１つの面にオスメス両方の張り合わせ係止構造を設けており、引き出された構成シート１０が、任意の位置で折り曲げられて前辺９が前辺係止部３０と前本係止部３１を介して、ケース部６と係止されることによって、中空収納部１１の開口部１９となる上面開口部１３を構成し、また、引出辺７５に設けられた側辺係止部８によって、向かい合った構成シート１０が互いに係止されることによって、シート巻き取り収納用具１が、巻き収納部ユニット０を構成する。
【００６２】
係る構成のシート巻き取り収納用具１が図３（ｃ）であり、ケース部６から引き出された構成シート１０の引き出し辺７５に、側辺係止部８として、上記面ファスナーが設けられており、また、前辺９には、前辺係止部３０として、フックが設けられており、係る前辺係止部３０は、ケース部６に設けられた前本係止部３１と係止される構成である。
尚、本図の構成においては、係る前辺係止部３０は、図3（ａ）及び図３（ｂ）の上側の前本係止部３１と係止されている構成であるが、図の下側の前本係止部３１と係止する構成としても良い。
【００６３】
図４は、２つのシート巻き取り収納用具１の構成シート１０を対面させて巻き収納部ユニット０を構成する例である。
図４（ａ）における巻き収納部ユニット０の構成の例では、、２つのシート巻き取り収納用具１の構成シート１０が対面し、側辺係止部８及び前辺係止部３０であるファスナーにて係止させ、係る２つのシート巻き取り収納用具１の構成シート１０に挟まれた空間を、中空収納部１１とし、図４（ａ）の側面図である図４（ｅ）に示される様に、対面したケース部６の間が、上面開口部１３であり、中空収納部１１の収納口１２となり、横連結部２０で壁等に吊設する収納袋としても良いし、把手２０として携行しても良い。
【００６４】
係る構成のシート巻き取り収納用具１が、図４（ｃ）及び図４（ｄ）であり、それぞれは係るシート巻き取り収納用具１の側面図であり、図４（ｃ）及び図４（ｄ）はそれぞれ、係るシート巻き取り収納用具１の反対側から見た側面図となっており、それぞれの図が示す様に、係るシート巻き取り収納用具１の左右の引き出し辺において、設けられているファスナーの構成が違っていることを示しており、図４（ｃ）で示される蝶棒１４を備えたファスナーエレメント２と、図４（ｃ）に示されるスライダー３とボックス４０を備えたファスナーとで２つの構成シート１０が係止される構成となっており、図には示されていないが、前辺９においても、同様に２つの構成シート１０が係止される構成の例である。
【００６５】
尚、図４（ｂ）は、図４（ａ）と同等の構成において、前辺９が曲線形状をしており、係る構成であることによって、前辺９と引出辺７５に設けられたファスナーを、連続的に繋げて設け易くなる構成である。
また、図４（ｆ）は、図４（ａ）の２つの巻き取り収納用具１が対面して設けられる構成において、前辺９を中空収納部１１の収納口１２とし、ケース部６側を底とした構成であり、前辺９に把手２０が設けられており、ケース部６側が横連結部２０によって、２つのケース部６が連結されて、底を構成している例であり、例えば、係る横連結部２０は、面ファスナーや、粘着テープなどで連結されている構成の例である。
【００６６】
図４の構成の巻き収納部ユニット０の図２の構成に対する有用な点は、図２の構成は、構成シート１０が、折り曲げられることによって対面した構成シート１０を側辺係止部８にて係止する構成である為、例えば、中空収納部１１のサイズを変更して大きくする際には、一旦、側辺係止部８を外してからでなければ、変更できない為、例えば、係る中空収納部１１内に収納物が入っている状態で、係る中空収納部１１のサイズを変更するのは、困難であるのに対して、図４の構成においては、係る中空収納部１１のサイズを変更するには、例えば、係る巻き取り収納用具１に巻かれている構成シート１０の引き出しを制御する   引出ブレーキ構造７９を解除するだけで、係る中空収納部１１のサイズを変更することができる為、有用である。
【００６７】
一方、図４の構成の巻き収納部ユニット０においては、前辺係止部３０や、図４（ｆ）のように、横連結部２０などの係止部が底になり易いので、底の強度が、図２の構成シート１０を折り曲げた構成と比較すると、弱くなりがちになる懸念があるので、係る係止部を、収納物に合わせて、底が抜けないような強度の構成にする必要がある。
【００６８】
図５の構成の例は、図４（ｆ）に示されるような、２つのシート巻き取り収納用具１が連結される構成において、１つのケース部６に２つの巻いた構成シート１０が収容された構成の例であり、係る構成によって、２つのシート巻き取り収納用具１を連結する横連結部２０の強度を懸念する必要もなく、また、係る連結部の継ぎ目を無くすことができるなど、有用である。
図５（ａ）は、図４（ｆ）の構成において、横連結部２０にて連結されたシート巻き取り収納用具１の２つの構成シート１０が、１つのケース部６に収容された構成であり、図４（ｆ）の構成の巻き収納部ユニット０の底にあたる横連結部２０が無く、強度を確保し易い構成であり、有用である。
【００６９】
図５（ｂ）は、図５（ａ）の構成において、ケース部６に収納された構成シート１０の巻取り引出口７７がケース部６の外側に設けられた構成の例である。
係る図５（ｂ）の構成のシート巻き取り収納用具１は、例えば、図５（ｃ）の様に、図５（ｂ）の引き出された構成シート１０の引き出し辺に合わせた位置に合うサイズの他のシート巻き取り収納用具１を側辺係止部８で連結させた構成とすることが可能である。
図５（ｃ）は係る構成シート１０によって、方形の巻き収納部ユニット０を構成する例の上面図であり、また、図５（ｄ）は、図５（ｃ）の構成の例の斜視図である。。
【００７０】
係る構成においては、方形の様な、更に広い底面を備えた巻き収納部ユニット０においても、構成シート１０を引き出すことによって、自由に係る中空収納部１１のサイズを変更することが可能で、有用である。
また、係る中空収納部１１は、図面には示していないが、例えば棒などの支持材１０２で、自立させ易くする構成としても良く、その際には、係る棒を伸縮可能な棒にすることにより、係る中空収納部１１の高さに合わせて棒の支持材１０２の高さを変更でき、有用である。
また、係る方形を構成する４枚の構成シート１０は、１つのケース部６に収容された構成としてもよい。また、本構成においては、４つの構成シート１０の内、２つの構成シート１０は１つのケース部６に収容されているが、それぞれ１つの構成シート１０が収容されたシート巻き取り収納用具１で４面を構成する方形としても良いし、同様に５つ以上のシート巻き取り収納用具１を組み合わせて５角形以上の多角形を構成しても良いし、５つ以上の構成シート１０が、１つのケース部６に収容されて、５角形以上の多角形を構成する構成としても良い。
【００７１】
図５(e)は、図５（ｄ）の巻き収納部ユニット０の側面を構成する構成シート１０に、前辺９に略平行なファスナーを設け、係る巻き収納部ユニット０の側面に、開口可能な収納口１２を設けた構成の例である。
係る構成によって、巻き収納部ユニット０の側面の開口部１９から収納物の出し入れが可能であり、例えば、係る中空収納部１１の内側に台や棚を備えることも可能であり、係る台や棚の高さに合わせて、構成シート１０の引き出し量を調節可能で、係るファスナーの高さを調整可能で、有用である。
また、本構成においては、係るファスナーを前辺９に略平行に設けているが、例えば、前辺９に略垂直に、係る構成シート１０の中程にファスナーを設けることによって、係る巻き収納部ユニット０の側面のどこにでも開口可能な構成としても、有用である。
【００７２】
図６の構成の例は、構成シート１０が、一部が重なる様に設けられた部分重複部１５を備えた構成の例である。
図６（ａ）は、図２の巻き収納部ユニット０の構成における構成シート１０の一部が重なる様に設けられた構成の例であり、係る構成のシート巻き取り収納用具１が、図６（ｂ１）であり、係るシート巻き取り収納用具１に設けられた構成シート１０は、係る部分重複部１５の開口部１９が回転巻軸５に平行になる様に備えられている構成の例であり、係るシート巻き取り収納用具１の構成シート１０は折り曲げられて向かい合った構成シート１０が、互いに引出辺７５に設けられた側辺係止部８にて係止された構成である。
また、係る重畳的に構成の例の側面からの部分断面図が、図６（ｃ）であり、図６（ｃ）の構成は、２つのシート巻き取り収納用具１で構成されており、前面側である図の左側のシート巻き取り収納用具１が係る部分重複部１５を備えた重畳構造であり、右側が、重畳構造でないシート巻き取り収納用具１で構成された巻き収納部ユニット０の部分断面図の例である。
【００７３】
尚、係る重複部の開口部１９は、回転巻軸５に対して、斜めでも、直角でも良く、また、重畳方向も図６（ｂ1）における左側に重複部の開口部１９を備えても、右側に備えてもよい。  
また、係る部分重複部１５は、本図の構成においては、上下に二つの開口部１９を備えているが、図面には示していないが、係る二つの開口部１９の内１つの開口部１９は、例えば、半分だけ、あるいは、部分的に開口している構造としても良いし、また、あるいは、係るどちらか一方の開口部19のみ開口し、もう一方は係る部分重複部１５の構成シート１０を係止して、閉じた構成としても良いし、また、係る閉じた構成あるいは、一部を係止して閉じた構成において、係る係止部を、係る部分重複部１５の略中央付近を係止して、開口部１９は上下２つで、略中央付近が係止された構成としても良い。尚、係る部分重複部１５の係止部の場所は、限定しない。
【００７４】
上記部分重複部１５の開口部１９は、例えば、一方の開口部１９は、一部分だけ開口することによって、例えば、水抜きであったり、挿入した植物の根の部分を受けながら、係る部分的な開口部１９から根は広がるという構成としても良く、有用である。
また、係る部分重複部１５の略中央付近を係止することによって、係る構成シート１０を、折り曲げて使用する際にも、折り曲げずに使用する際にも、係る重複部が、同等に上側に開口部１９を備え、且つ、部分重複部に突き当て部のある構成となり、用途によっては有用である。
また、係る部分重複部１５の略中央付近あるいは、部分重複部１５の開口部１９から中に入った位置で係る部分重複部１５の一部を係止することによって、例えば、植栽した際に、係る部分重複部１５から中空収納部１１への移行部分付近に、培養基材６０の密度が薄い部分を形成可能となり、根の酸欠予防ともなり、有用である。
【００７５】
本図の重畳的な係る部分的に連続的に重複した構成とすることによって、係る部分重複部の開口部１９を収納口１２として、長さを変更可能な巻き収納部ユニット０を構成することができ、有用である。
【００７６】
特に、図６（ｄ）に示される様に、係る部分重複部15の開口部１９から、植物を植える植栽容器として、また、中空収納部１１に係る植物の根を張ることを可能とした構成とすることによって、係る植栽容器の側面から自由に植物を植栽可能で、植物を植栽しない係る重複部分の開口部１９からは、土や水のこぼれ出しを抑制可能で、植栽された係る植物も、十分に根を張るスペースを確保可能で、且つ、長さが自由に変更可能な植栽容器とすることができ、係る植栽容器を設置するスペースに合わせて設置可能な植栽容器とすることができ、大変有効である。
このように、中空収納部１１が繋がっていることによって、植物である収納物Ｓが植栽された構成において、より広いエリアに根を広げることが可能であるため、根詰まりの心配も少なく、植物の生育にも効果的である。
また、植物以外の収納物を収納する収納ユニットとしても、係る重複部分の開口部１９から、長さの違う長尺な収納物を収納可能な収納容器となり、有用である。
【００７７】
また、図６（ｅ）に示される構成のシート巻き取り収納用具１は、係る重複部の開口部１９が、回転巻軸５に対して、垂直に設けられた構成の例であり、係る構成によって、図６（ｂ）の構成が縦方向に長さが変更可能であるのに対して、本構成は、横方向に長さが自由に変更可能な構成となり有用である。
尚、係る何れの構成においても、複数のシート巻き取り収納用具１を側辺係止部８で連結して、係る構成シート１０を巻いた状態から引き出す方向と垂直な方向に自由に大きさを変えることが可能な巻き収納部ユニット０の構成とすることができ、有用である。
【００７８】
図６（ｂ2）は、図６（ｂ1）の構成において、部分重複部１５の一方の引出辺が開閉可能な構成の例であり、例えば、係る構成シート１０をマグネットシートや自己吸着シートとすることによって、紙などを連続して挟んで収納する構成とすることが可能となり、係る紙が、重なって下の紙が見えないということのない収納具となり、しかも、紙の量に合わせて、収納具のサイズを変更でき、有用である。
係る構成において、例えば、下側の部分重複部１５が開閉可能な側の引出辺の側辺係止部８でもう一つの同様なシート巻き取り収納用具１の開閉可能な引出辺側の側辺係止部８と係止して連結すれば、１つの大きなサイズの図６（ｄ１）の構成のシート巻き取り収納用具１を構成することが可能となり、また、上側の引出辺の側辺係止部８であるファスナーと連結すれば、両サイドに紙等を連続して収納可能な収納具となる。
尚、係る引出辺に設けられた側辺係止部８は、本図の上側または下側のどちらか一方の引出辺のみに設けられた構成としても良い。
【００７９】
図７は、構成のシート巻き取り収納用具１が、引出辺７５を略水平方向に設けられ、係る一方の引出辺７５を中空収納部１１の開口部１９として、複数のシート巻き取り収納用具１を側辺係止部８で連結して、係る構成シート１０を巻いた状態から引き出す方向と垂直な方向に自由に大きさを変えることが可能な巻き収納部ユニット０の構成の例であり、また、それぞれのシート巻き取り収納用具１は、支持材１０２に設けられる構成の例である。
【００８０】
図７（ａ）は、支持材１０２に設けられた支持係止部２０である面ファスナーにて係止されたシート巻き取り収納用具１から引き出された構成シート１０が、もう一つの支持材１０２にて、巻くようにして折り返され、折り返された前辺９の前辺係止部３０が、ケース部６に係止されることによって、係る折り返されて対面した構成シート１０の間の領域が、中空収納部１１である構成の巻き収納部ユニット０であり、更に、係る構成のシート巻き取り収納用具１が、鉛直方向にもう一つ設けられており、係る２つのシート巻き取り収納用具１が、互いに側辺係止部８であるファスナーで互いに係止されて設けられている構成である。
また、係る中空収納部１１の底には、２本の支持材１０２間に橋架して設けられた底部を構成する、支持底部２１を設けた構成である。
【００８１】
また、支持底部２１係止部を構成シート１０は設けても良く、また、前記構成シート１０は、長手方向の特に下方部に係止部を設けていても良く、本発明と同一の作用効果を発揮できる範囲内で限定しない。 
尚、前記記載の構成シート１０同士の係止については、着脱可能に係止することによって、自由度の高い収納容器となり有用である。
【００８２】
図７（ｂ）の構成は、図７（ａ）の構成が、縦に2つ設けられたシート巻き取り収納用具１の構成であるのに対して、図７（ｂ）の構成においては、縦に二つ設けられたシート巻き取り収納用具１が、二組隣に設けられて支持材１０２に設けられて、引き出された構成シート１０が、もう一本の支持材１０２にて係止された構成であり、また、係る中空収納部１１の底部が、シート巻き取り収納用具１で設けられる構成を示しており、本図においては、係る底部を構成するもう一つのシート巻き取り収納用具１が設けられる構成を示しており、本図においてはそれぞれが連結された上の４つのシート巻き取り収納用具１の下に略水平に記載されているシート巻き取り収納用具１を係る上の４つのシート巻き取り収納用具１による中空収納部１１の底に側辺係止部８にて係止して設けることによって、中空収納部１１の底部を形成する構成を示している。
【００８３】
尚、図７（ｂ）の図においては、係る底部を設けるシート巻き取り収納用具１は、便宜上、上の４つのシート巻き取り収納用具１から離れた下の部分に記載されており、係る下の部分に記載されたシート巻き取り収納用具１を、上の４つのシート巻き取り収納用具１の底に寄せて合わせて側辺係止部8にて互いに係止されて設けられることを示している。
尚、係る底部の断面図は、図７（ｅ）のように、底部のシート巻き取り収納用具１は略水平に設けられた構成となっている。
また、係る底部の構成は、図７（ｆ）の様に、底部を構成するシート巻き取り収納用具１を、Ｖ字型に設けて、下側の引出辺７５の側辺係止部８にて、係止してもよい。
【００８４】
図７（ｃ）の構成は、図７（ａ）または図７（ｂ）の構成の様に、シート巻き取り収納用具１が支持材１０２に引出辺７５が略水平方向になる様に設けられた構成である。
係る引出辺７５に設けられた側辺係止部８が、係る引出辺７５の内側の入ったところに沿って設けられ、係る引出辺７５の内側に、係る引出辺７５からやや距離を置いて入ったところに沿って設けられた側辺係止部８にて、二つのシート巻き取り収納用具１が係止され、係る構成によって、２以上のシート巻き取り収納用具１が複数連結される構成であることによって、構成シート１０が、断続的に設けられた側辺係止部８によって、互いに重複して設けられることによって、側面に収納口１２となる開口部１９を備えた、図６（ｅ）の様な構成で、更に、そのサイズを自由に変えることが可能な巻き収納部ユニット０を、複数のシート巻き取り収納用具１にて構成することが可能となり、有用である。
【００８５】
尚、係る側辺係止部８は、本構成においてはホックであり、係るホックとホックの間の部分が、側面の収納口１２である開口部１９となる。また、例えば、係る側辺係止部８を、複数のスライダー３を備えたファスナーとすることによって、係る複数のファスナーによって、複数の側面の収納口１２である開口部１９としても良い。
【００８６】
係る図７（ｄ）の構成は、左右の２本の支持材１０２間に、互い違いに、ケース６がそれぞれの支持材１０２に設けられており、また、それぞれから引き出された構成シート１０は、一部が重なる部分重複部１５を設ける様にして、それぞれの構成シート１０の上側と下側の側辺係止部８にて互いに係止されることによって、縦に４つ設けられており、更に、最下段のシート巻き取り収納用具１は、構成シート１０が対面するようにもう一つのシート巻き取り収納用具１が設けられており、係る最下段で係る構成シート１０の略全面が対面したそれぞれの構成シート１０の下側の引出辺７５に設けられた側辺係止部８にて係止されることによって、底部を構成した巻き収納部ユニット０の構成の例である。但し、本図においては、略全面にて対面して２重であることによって、係る２枚の構成シート１０の間が中空収納部１１を最下段のみとして説明の便宜上、構成しているが、係る最下段にて中空収納部１１を構成している手前のシート巻き取り収納用具１も同様に、側辺係止部８にて、部分重複部１５を設けるように側辺係止部８にて係止させて複数のシート巻き取り収納用具１を連結することによって、側面に部分重複部１５の開口部１９を備えた巻き収納部ユニット０を構成することが可能であり、有用である。
【００８７】
尚、本図においては、係るシート巻き取り収納用具１のケース部６は、それぞれ、支持材１０２に係止されて、縦に連結された構成であるが、係る支持材１０２を備えず、係るケース部６だけを強固に連結させて、縦に連結させる構成としても良い。
また、係る支持材１０２の形状も、もっと細くても良いし、角柱でも良いし、空洞でも良いし、レールを備えて、係るレールにシート巻き取り収納用具１を設ける構成としても良いし、その他、本発明と同一の作用効果を発揮できる範囲内で限定しない。
【００８８】
図８は、係るシート巻き取り収納用具１の構成シート１０が巻かれた部分、あるいは、係る巻かれた部分が収容されているケース部６を複数重ねて収容可能な支持材１０２であるスリットカートリッジ８０の構成の例である。
図８（ａ）の構成の例において、係るスリットカートリッジ８０は、中空の筒状にスリットが、設けられており、係るスリットは上方が開放な構成の例であり、また、係る開放部は、蓋を設けて開閉可能な構成としても良いし、下側を開放または開閉可能な構成としても良い。
【００８９】
図８（ｂ）は、係るスリットカートリッジ８０の中空の筒状の中に、４つのシート巻き取り収納用具１のケース部６が積み重なって収容され、係るスリットカートリッジ８０のスリットから、構成シート１０が引き出された構成となっており、係る４つのシート巻き取り収納用具１の下には、係るシート巻き取り収納用具１の高さを調整するアダプター８１が係るスリットカートリッジ８０に収容され、係るアダプター８１の上に、２つのシート巻き取り収納用具１が２つ積み重なって収容され、係る２つのシート巻き取り収納用具１は、側辺係止部８にて係止され、その上には更にもう一つの高さを調整するアダプター８１が設けられて、更に、その上に２つのシート巻き取り収納用具１が２つ積み重なって収容され、係る２つのシート巻き取り収納用具１は、側辺係止部８にて係止された構成であり、係る引き出された構成シート１０が、図７に示されるようなシート巻き取り収納用具１を構成することが可能な例であり、係る構成によって、容易にシート巻き取り収納用具１による巻き収納部ユニット０の高さを設定可能であり、また、見た目もすっきりと外観も良く、支持材１０２との外れの心配もなく、有用である。
【００９０】
尚、係るスリットカートリッジ８０は、前辺係止部３０を係止可能な係止部を設けても良い。
また、係るスリットカートリッジ８０には、前記構成シート１０の巻かれた部分を、ケース部６に収容した状態で収容しても良いし、ケース部６に収容せずに、前記巻いた構成シート１０のままで収容しても良いし、また、係る巻いた構成シート１０の回転巻軸が平行に横に並べて、つまり、図５（ａ）あるいは図５（ｂ）に示されるような構成シートの配置で、係る構成シートを複数積み重なって収容されても良い。
尚、図８の構成の例においては、１つの支持材１０２であるスリットカートリッジ８０にシート巻き取り収納用具１が設けられたのみの構成で中空収納部１１が設けられる例とはなっていないが、それぞれ、例えば、図７や、その他の図面の構成の例と同様に、中空収納部１１を設ける様な構成とすることが可能である。
【００９１】
また、係るスリットカートリッジ８０は、本構成においては、縦に一列のシート巻き取り収納用具１のケース部６を収容可能な構成であるが、縦に２列以上のシート巻き取り収納用具１を積み重ねて収容可能にすることによって、より広い巻き収納部ユニット０の構成のアレンジが可能で、有用である。
また、係るスリットカートリッジ８０である支持材１０２は、係るスリット部がレールとして外から係るレールとの嵌め合いにて、係るシート巻き取り収納用具１を設ける構成の巻き収納部ユニット０としても良い。
【００９２】
図９は、図６あるいは図７あるいは図８の構成において、引出辺７５が略水平方向に支持材１０２に設けられて中空収納部１１の開口部１９である収納口１２を形成している構成の１つの実施例であり、図９（ａ）は、係る構成の正面図であり、支持材１０２間に設けられた巻き収納部ユニット０に、植物が植栽されている構成の例であり、台座４９に支持材１０２が備えられ、係る２本の支持材１０２間に橋架されて巻き収納部ユニット０が構成されてており、係る収納容器０の底部は、支持底部２１であり、係る２つの支持材１０２間の距離を保つ構成でもある。
また、図９（ｂ）は、係る構成の例の上面図であり、係る支持材１０２は、このように、ジグザグに配置することも可能である。
【００９３】
また、係る底部は係る構成シート１０間に設けられた底部であるシート本体底部１０１でも良く、係るシート本体底部１０１は、図面には示していないが、係る２枚の向かい合ったシート１０の下部の間に、係る底部を構成する部材であるシート本体仕切り部１２８を係る構成シート１０に係止することによって、設けた底部であり、係る係止方法は、縫製でも接着でも良いし、融着、ボルト、フック、紐、磁石、ステープラー、リベット、ファスナー、面ファスナー、吸着、あるいはクリップ等を挟み込んで固定する挟み込み部材を用いた構成でも良く、本発明と同一の作用効果を発揮できる範囲内で限定しない。
尚、係るシート本体底部１０１あるいはシート本体仕切り部１２８の材質は、発泡性樹脂でも良いし、シリコンでも、樹脂でも、ゴムでも、金属でも、木でも、シートでも良く、本発明と同一の作用効果を発揮できる範囲内で限定しない。
【００９４】
図１０は、図６あるいは図７あるいは図８の構成において、同様に引出辺７５が略水平方向に支持材１０２に設けられて中空収納部１１の開口部１９である収納口１２を形成している構成の１つの実施例であり、図９が１つの台座４９に１つの支持材１０２が設けられた構成であるのに対して、図１０においては、１つの台座４９に対して２つの支持材１０２が設けられた構成の実施例である。
【００９５】
図１０（ａ）は、上の４つのシート巻き取り収納用具１の向かい合った構成シート１０の間の中空収納部１１に植物が植栽されている構成の例であり、図１０（ｂ）は、重畳的に係る構成シート１０が設けられて、係る重畳的に設けられた部分重複部１５の開口部１９から、植物を植栽された構成の例であり、それぞれ、自由なサイズ、スペースを活用した収納や、植物等の装飾を可能にした巻き収納部ユニット０の構成の例であり、有用である。
【００９６】
尚、上記一連の本図の構成の例において、構成シート１０の係止方法、巻き係止部１２９は、面ファスナーでも良いし、ホック、ボタン、磁石、フック、ベルト、ファスナー、縫製、融着、接着でも良く、本発明と同一の作用効果を発揮できる範囲内で限定しない。
また、各図に示されている構成の例、及び説明については、それぞれの各図の構成に対して、互いに応用可能である。
【００９７】
また、各図の構成の例に示された側辺係止部８や、前辺係止部３０、ファスナーの取り付け方、ファスナースライダー３の取付数は限定せず、それぞれが必要性に応じた係止される構成であれば良く、係る係止方法は、本発明と同一の作用効果を発揮できる範囲内で限定しない。
また、構成シート１０には、窓や開口開閉可能部を設けても良い。
また、巻き収納部ユニット０の底部には、水抜きを設けて、特に植栽した場合の水抜きや、屋外に設けた際の水抜きとしても良い。
【００９８】
また、支持材１０２は、平行でなくても良いし、曲がっていても良い。
また、支持材１０２の材質は、木や、アルミニウム、鉄等の金属、ポリプロピレン、ポリアミド等の樹脂、生地、石、セメント、陶磁器、カーボン、布状、網状等、その他本発明の範囲内でその種類を限定せず、必要な強度を満足可能な材質が望ましく、同様に、支持材１０２の形状についても、円柱、多角柱、筒状、鎖状、紐状、布状でも、その他本発明の範囲内でその種類を限定しない。
【００９９】
また、前記構成シート１０には、穴又は切り込みを設けても良い。
また、構成シート１０の素材は、可とう性を有したシート状で、テント生地やメッシュ生地等の布状部材、他各種繊維素材、各種ゴムや各種樹脂シート製、綿、麻等の天然素材、紙製、網状、金属メッシュ等金属、張り剥がし自在なシートや自己吸着シート、マグネットシート、エラストマー系の樹脂、シリコン樹脂、発泡樹脂、また、色も透明、蛍光、光っても良く、その他、必要に応じた強度、機能を有し、本発明と同一の作用効果を発揮できる範囲内でその素材を限定しない。用途によっては、シリコン樹脂やゴム、エラストマー系の樹脂等で、水漏れ防止としても良い。
また、構成シート１０が特に、部分重複部１５における中空収納部１１側の構成シート１０を、上記素材や、穴や切り込みを備えるか、あるいは網状の構成シート１０とした、２つ以上の素材あるいは、加工を施された構成としてもよく、係る構成によって、植栽した際に潅水の根への効率的な供給が可能となり、有用である。、
【０１００】
また、有機ＥＬや無機ＥＬに代表されるエレクトロルミネセンスのシートなどの、可撓性のある電子表示シートを一部または全部に用いることによって、光の活用や、収納物を表示する構成にすれば、整理整頓にも好適である。
また、シート１０の形状も、波型、山形、その他異形でも、長さ、大きさ違いの組み合わせ違いでもよく、その形状を限定せず、また、厚さも、本発明と同一の作用効果を発揮できる範囲内で限定しない。
【０１０１】
また、支持係止部２０あるいは各種底部における係止部、構成シート１０同士の係止部について、図面に表記していないものも、必要に応じて、必要な個所に設ける構成が可能であり、また、それぞれの係止方法は、ボルト、接着、融着、縫製、結束、ピン止め、ボタン止め、面ファスナー止め、磁石、ステープラー等、本発明と同一の作用効果を発揮できる範囲内でその係止手段を限定せず、また、着脱可能に係止してもよく、着脱可能な係止手段は、ホック、ボタン、面ファスナー、フック、磁石、紐、ファスナー等、本発明と同一の作用効果を発揮できる範囲内でその係止手段を限定しない。着脱可能な構成とすることにより、必要に応じて構成シート１０のサイズや材質を選択可能となり、有用である。
【０１０２】
また、各図の構成において、構成シート１０を螺旋状に設ける構成としても良く、係る構成とすることによって、構成シート１０を引き出す方向だけでなく、引出辺７５方向へもサイズを変更可能な巻き収納部ユニット０となり、有用である。
また、係る構成シート１０が、２つの前記シート巻き取り収納用具１を設けた、巻き収納部ユニット０としても良く、係る構成とすることによって、特に図４（ａ）あるいは図４（ｅ）の構成において、前辺４の前辺係止部３０を設けることなく巻き収納部ユニット０を構成することが可能となり、係る巻き収納部ユニット０の底の強度が確保しやすくなり、且つ、両端から係る構成シート１０の長さを調整できるので、容易に中空収納部１１の容量を変更可能であり、有用である。
【産業上の利用可能性】
【０１０３】
本願発明は、少ないスペースで収納を容易にし、且つ、植物の装飾を自在に出来ることから、各種イベントの装飾をはじめ家庭用ガーデニング用品としても魅力的な発明品であり、産業上利用可能性は極めて高いと思慮されるものである。
【符号の説明】
【０１０４】
０      巻き収納部ユニット
１       シート巻き取り収納用具
２        エレメント
３        スライダー
４        縦連結部・支持係止部
５        回転巻軸
６        ケース部
７        回転支持具
８        側辺係止部
９        前辺
１０      構成シート
１１       中空収納部
１２      収納口
１３      上面開口部
１４      蝶棒
１５      部分重複部
１９      開口部
２０       横連結部・支持係止部・把手
２１      支持底部
３０      前辺係止部
３１      前本係止部
４０      ボックス
４９      台座
６０      培養基材
７５      引出辺
７６      引出シート底部
７７      巻取り引出口
７９       引出ブレーキ構造・こそぎ取り部材
８０      スリットカートリッジ
８１      アダプター
１０１      シート本体底部
１０２      支持材
１２８      シート本体仕切り部
Ｓ          収納物・植物
【図１】
2020044300.tif 000003
【図２】
2020044300.tif 000004
【図３】
2020044300.tif 000005
【図４】
2020044300.tif 000006
【図５】
2020044300.tif 000007
【図６】
2020044300.tif 000008
【図７】
2020044300.tif 000009
【図８】
2020044300.tif 000010
【図９】
2020044300.tif 000011
【図１０】
2020044300.tif 000012
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
シート巻き取り収納用具（１）であって、可とう性を有する略シート状の素材から成る１以上の構成シート（１０）が、回転巻軸（５）を中心として回転して巻かれるようにして回転支持具（７）に設けられ、前記回転支持具（７）は、前記構成シート（１０）を、回転巻軸（５）を中心として巻き取り具で回転して巻き、巻き状態の前記構成シート（１０）の位置を保持する機能を有し、前記シート巻き取り収納用具（１）は、前記シート巻き取り収納用具（１）の位置を保持する支持材（１０２）に係止可能な支持係止部または把手を備え、前記構成シート（１０）にはファスナーあるいは、複数の係止部である側辺係止部（８）が、前記巻き取り具から引き出されることによって長さが可変である辺部である引出辺（７５）に沿って設けられ、引き出された際に、前記ファスナーまたは前記側辺係止部（８）によって、対面した前記構成シート（１０）が互いに係止可能で、該構成シートは、1つの構成シートが折り曲げられることによるか、２つ以上の構成シート（１０）が、一部または全部が対面するように設けられることによって、前記対面した構成シートの間に挟まれた空間である中空収納部（１１）を形成可能で、前記中空収納部（１１）を長さが可変な中空収納部（１１）とすることが可能であることを特徴とするシート巻き取り収納用具（１）。
【請求項２】
前記構成シート（１０）が、前記側辺係止部（８）と合わせて、前記構成シート（１０）が巻かれた状態から引き出される際に引き出される進行方向となる前側の辺である前辺（９）  に、ファスナーあるいは、係止部である前辺係止部（３０）を備え、２以上の前記構成シート（１０）を互いに係止、または、支持材（１０２）と係止可能であることを特徴とする請求項１に記載のシート巻き取り収納用具（１）。
【請求項３】
前記前辺係止部（３０）がファスナーであることを特徴とする請求項２に記載のシート巻き取り収納用具（１）。
【請求項４】
前記シート巻き取り収納用具（１）が、前記回転巻軸（５）が略平行になる様に連結可能である、横連結部（２０）を備え、２つ以上の前記シート巻き取り収納用具（１）が、前記横連結部（２０）によって横に連結されることによって、前記2以上の構成シート（１０）が対面するように設けられることが可能であることを特徴とする請求項１から請求項３のいずれかに記載のシート巻き取り収納用具（１）。
【請求項５】
前記シート巻き取り収納用具（１）が、略同一の前記回転巻軸（５）上になる様に、縦に連結可能である、縦連結部（４）を備え、２つ以上の前記シート巻き取り収納用具（１）が、前記縦連結部（４）によって縦に連結されることによって、前記中空収納部（１１）のサイズを大きくすることが可能であることを特徴とする請求項１から請求項４のいずれかに記載のシート巻き取り収納用具（１）。
【請求項６】
前記シート巻き取り収納用具（１）が、前記構成シート（１０）が巻かれた部分を覆うケース部（６）を備え、前記ケース部（６）が、前記巻かれた構成シート（１０）が引き出される際に通過する隙間である、巻取り引出口（７７）を備えていることを特徴とする請求項１から請求項５のいずれかに記載のシート巻き取り収納用具（１）。
【請求項７】
前記ケース部（６）に、２以上の構成シート（１０）が巻いた状態で収容されていることを特徴とする請求項６に記載のシート巻き取り収納用具（１）。
【請求項８】
前記構成シート（１０）が一定以上引き出されないようなブレーキ、または、前記回転支持具（７）が、前記回転巻軸（５）にて回転するようにして巻かれた前記回転巻軸（５）が回転しないように、ブレーキをかけることが可能な、引出ブレーキ構造（７９）を備えたことを特徴とした請求項１から請求項７のいずれかに記載のシート巻き取り収納用具（１）。
【請求項９】
前記前辺係止部（３０）が、前記引出辺（７５）の内側に、前記引出辺（７５）に沿って設けられており、係る構成であることによって、前記構成シート（１０）が、平行に構成する際に、構成シート（１０）の一部を重複可能であることを特徴とする請求項１から請求項８のいずれかに記載のシート巻き取り収納用具（１）。
【請求項１０】
前記構成シート（１０）が、重畳的に連続して係止され、前記重畳的に設けられた部分重複部（１５）が、係る部分重複部（１５）の表側から裏側に貫通して開口している開口部を備えていることを特徴とする請求項１から請求項９のいずれかに記載のシート巻き取り収納用具（１）。
【請求項１１】
前記表側から裏側に貫通して開口している部分重複部（１５）の一部または全部が係止されていることによって、貫通部の幅が狭くなっているか、または、閉じられていることを特徴とする請求項１０に記載のシート巻き取り収納用具（１）。
【請求項１２】
前記構成シート（１０）の前記表側から裏側に貫通して開口している部分重複部（１５）の２辺の引出辺（７５）の内、1辺の引出辺（７５）側が開放可能に設けられていることを特徴とする請求項10に記載のシート巻き取り収納用具（１）。
【請求項１３】
前記構成シート（１０）が、マグネットシートまたは自己吸着シートであることを特徴とする請求項１から請求項１２のいずれかに記載のシート巻き取り収納用具（１）。
【請求項１４】
前記ファスナーが、スライド可能なボックス（４０）である、スライドボックス（４０）を備えたことを特徴とした、請求項１から請求項１３のいずれかに記載のシート巻き取り収納用具（１）。
【請求項１５】
前記構成シート（１０）が、無機または有機の、エレクトロルミネセンスのシートに代表される電子表示シートであることを特徴とした請求項１から請求項１４のいずれかに記載のシート巻き取り収納用具（１）。
【請求項１６】
前記支持材（１０２）に係止され、複数の構成シート（１０）が側辺係止部（８）で連結されたシート巻き取り収納用具（１）の前記側辺係止部（８）が、引出辺（７５）の内側に沿って設けられており、前記側辺係止部（８）にて複数のシート巻き取り収納用具（１）の構成シート（１０）が、一部を重なり合う部分重複部（１５）を備え、前記部分重複部（１５）は、前記側辺係止部（８）によって一部に開口可能に互いに係止されることにより、収納ユニットを形成可能であることを特徴とする請求項１から請求項１５のいずれかに記載のシート巻き取り収納用具（１）。
【請求項１７】
１つの前記構成シート（１０）が、２つの前記シート巻き取り収納用具（１）を設けたことを特徴とする請求項１から請求項１６のいずれかに記載のシート巻き取り収納用具（１）。
【請求項１８】
前記構成シート（１０）の幅が変化しているか、または、前記引出辺（７５）が曲線状であるか、または回転巻軸（５）に対して引出辺（７５）が垂直に設けられていない構成であることによって、引出辺（７５）がずれながら前記構成シート（１０）が回転巻軸（５）を軸として巻かれることを特徴とする請求項１から請求項１７のいずれかに記載のシート巻き取り収納用具（１）。
【請求項１９】
請求項１から請求項１８のいずれかのシート巻き取り収納用具（１）によって構成される巻き収納部ユニット（０）であって、前記シート巻き取り収納用具（１）の構成シート（１０）の両辺の引出辺（７５）に設けられた、ファスナーあるいは、複数の係止部である側辺係止部（８）において、対面した前記２以上の構成シート（１０）が係止され、前記構成シート（１０）の前辺（９）または回転巻軸（５）側を、底として前辺係止部（３０）または横連結部（２０）で係止され、前記底とならない、前記前辺（９）、または回転巻軸（５）側を開口部として開口または開口可能な上面開口部（１３）である収納口（１２）とし、収納部である中空収納部（１１）の長さが可変であることを特徴とした巻き収納部ユニット（０）。
【請求項２０】
請求項１から請求項１８のいずれかのシート巻き取り収納用具（１）によって構成される巻き収納部ユニット（０）であって、前記１つのシート巻き取り収納用具（１）の構成シート（１０）の巻き取り状態から引き出された構成シート（１０）が、折り曲げられることによって、構成シート（１０）が対面され、前記構成シート（１０）の両辺の前記引出辺（７５）に設けられた、前記ファスナーあるいは、複数の係止部である側辺係止部（８）において、対面した前記構成シート（１０）が係止され、、前記前辺（９）及び回転巻軸（５）側を開口部として開口または開口可能な上面開口部（１３）である収納口（１２）とし、収納部である中空収納部（１１）の長さが可変であることを特徴とした巻き収納部ユニット（０）。
【請求項２１】
前記巻き収納部ユニット（０）が、前記巻き収納部ユニット（０）の前記上面開口部（１３）である収納口（１２）側に、把手を備え、長さの変わる手さげ袋、あるいは壁掛収納具であることを特徴とした、請求項１９から請求項２０のいずれかに記載の巻き収納部ユニット（０）。
【請求項２２】
請求項１から請求項１８のいずれかのシート巻き取り収納用具（１）によって構成される巻き収納部ユニット（０）であって、前記シート巻き取り収納用具（１）が、支持材（１０２）に係止され、前記シート巻き取り収納用具（１）の構成シート（１０）の巻き取り状態から引き出された構成シート（１０）が、支持材（１０２）間にて対向するようにして橋架されて中空収納部（１１）を備え、該中空収納部（１１）の底に、支持底部（２１）または  シート本体底部（１０１）を備えたことを特徴とする巻き収納部ユニット（０）。
【請求項２３】
前記シート巻き取り収納用具（１）が、支持材（１０２）に係止され、複数の構成シート（１０）が側辺係止部（８）で連結されたことを特徴とする請求項２２に記載の巻き収納部ユニット（０）。
【請求項２４】
前記支持材(１０２)が中空で且つ、スリットを備えたスリットカートリッジ(８０)であって、係るスリットカートリッジ(８０)は、中に複数の巻かれた構成シート(１０)を収容可能で、また、アダプター（８１）を収容可能であることによって、前記構成シート(１０)の高さを変更することが可能であり、係るスリットから巻き状態から引き出した構成シート(１０)を引き出されることを特徴とする請求項２２または請求項２３に記載の巻き収納部ユニット（０）。
【請求項２５】
前記支持材（１０２）に係止され、複数の構成シート（１０）が側辺係止部（８）で連結されたシート巻き取り収納用具（１）が、係る構成によって、収納容器を構成することを特徴とする請求項１９から請求項２３のいずれかに記載の巻き収納部ユニット（０）。
【請求項２６】
３以上の前記構成シート（１０）が側辺係止部（８）にて係止されることによって構成されることを特徴とする請求項１９から請求項２５のいずれかに記載の巻き収納部ユニット（０）。